(57)【要約】      （修正有）【課題】動力ファンの設置数を減らして無動力放熱ファンが気流を強くしたり、排気したりするのを助けて放熱効果を高める無動力ファンの放熱補助装置を提供する。【解決手段】無動力ファンの放熱補助装置は、特に、コンピュータの電源供給装置５、コンピュータメイン装置６もしくはサーバー内に設置した放熱補助装置であり、その特徴は、動力放熱ファン１で気体を引き込み、一もしくは複数の無動力放熱ファン４をうごかすもので、動力放熱ファンの設置数を減らすことによって、無動力放熱ファンが入気、排気を補助して放熱効果を高める。【選択図】図８
0003144948.tif 000002
【実用新案登録請求の範囲】
【請求項１】
無動力ファンの放熱補助装置において、そのうち主に、
コンピュータ電源供給装置内に設置する動力放熱ファンの気体導入カバーに固定し、そこに固定ネジ孔及び少なくとも一個以上の気体分流連接管を設置し、動力放熱ファンと隣り合う面は入気のためのラッパ型口を形成し、
少なくとも一個以上の気体導入管は、各気体導入管の一端には気体導入カバーの気体分流連接管のうちの一つに連接し、他端には無動力放熱ファンの偏向支持板の連接管もしくは固定部品状に連接し、
コンピュータの電源供給装置もしくはコンピュータメイン装置内の背面もしくは側面筐体箇所、もしくは特定の発熱源箇所もしくは近傍に強固に貼り付けてる少なくとも一個以上の無動力放熱ファンは、各無動力放熱ファンのフレーム体上に角度を有するファンの羽根を押圧する偏向支持板を設置し、偏向支持板上には連接管もしくは固定部品を設置し、
前記動力放熱ファンが気体を気体導入管へ引き入れ、前記無動力ファンを動かして気流を強くしたり、排気したりするのを助けて放熱効果を高めることを特徴とする無動力ファンの放熱補助装置。
【考案の詳細な説明】
【技術分野】
【０００１】
本考案は、気流等で駆動する無動力ファンの放熱補助装置に関するもので、電力消費を抑えながら放熱効果を高める無動力ファンの放熱補助装置で、動力放熱ファンで気体を引き入れ一もしくは複数の無動力放熱ファンを動かし、動力ファンの設置数を減らして無動力放熱ファンが気流を強め、または排気する無動力ファンの放熱補助装置に関する。
【背景技術】
【０００２】
近年、電子、情報科学は異なる領域のエンジニアによって途切れることなく研究、開発が進められ、消費者に各種の良好で且つ効率の高い電子、情報データもしくは電気設備が提供されている。一般もしくは商業電子化用品に於いてコンピュータ設備が最も代表的なものである。
【０００３】
一般のコンピュータもしくは電子設備に於いて、メイン装置内には発熱及び蓄熱部品を具えていたり、またはスピーディにプログラムを実行したりすることによって設備に熱が発生する。通常最も一般的な放熱方法は、装置の筐体内に一もしくは複数の電気駆動する動力ファンを設置し、対流原理によって放熱効果を得る。
【０００４】
上述の放熱方式は或る一定の効果を得ることができるが、その欠点は電気エネルギーを大量に消費する動力ファンであり、現在、地球上に於いて節電意識が高まっているため、如何なるわずかな電気消費もすべてよくないものであり、環境保護の要求に符合しない。
【０００５】
【特許文献１】特開２００１−０４１１４４号公報
【考案の開示】
【考案が解決しようとする課題】
【０００６】
解決しようとする問題点として、一般のコンピュータもしくは電気製品には複数の主要発熱源、例としてＣＰＵ中央処理装置、コイル、変圧器、電源供給装置もしくはハード機器などを具えるが、機体内に於いて、均等方式によってそれぞれ放熱機能を設置し、いくつもの電気消費するモーター等の駆動源により駆動する動力ファンを設置する。それは確かに適時放熱効果があるが、同時に電気供給システムもしくは電源供給装置の負荷がかかり、結果更に多くの発熱源をもたらし、悪循環となり、重点発熱源は放熱効果を達成できない点である。
【０００７】
本考案はこのような問題点に鑑みてなされたもので、実用的な放熱理念に基づき、その原理は動力放熱ファンで気体を導入し、一もしくは複数の無動力ファンで気流を強くし、電力を使用しないファンによって放熱効果を更に高める無動力ファンの放熱補助装置を提供すること課題とする。
【課題を解決するための手段】
【０００８】
本考案は、特に、コンピュータの電源供給装置、コンピュータメイン装置もしくはサーバー内に設置した放熱補助装置であり、その特徴は、動力放熱ファンで気体を引き込み、一もしくは複数の無動力放熱ファンをうごかすことを最も主要な特徴とする。
【０００９】
すなわち、本考案は、無動力ファンの放熱補助装置において、そのうち主に、コンピュータ電源供給装置内に設置する動力放熱ファンの気体導入カバーに固定し、そこに固定ネジ孔及び少なくとも一個以上の気体分流連接管を設置し、動力放熱ファンと隣り合う面は入気のためのラッパ型口を形成し、少なくとも一個以上の気体導入管は、各気体導入管の一端には気体導入カバーの気体分流連接管のうちの一つに連接し、他端には無動力放熱ファン４の偏向支持板の連接管もしくは固定部品状に連接し、コンピュータの電源供給装置もしくはコンピュータメイン装置内の背面もしくは側面筐体箇所、もしくは特定の発熱源箇所もしくは近傍に強固に貼り付けてる少なくとも一個以上の無動力放熱ファンは、各無動力放熱ファンのフレーム体上に角度を有するファンの羽根を押圧する偏向支持板を設置し、偏向支持板上には連接管もしくは固定部品を設置し、前記動力放熱ファンが気体を気体導入管へ引き入れ、前記無動力ファンを動かして気流を強くしたり、排気したりするのを助けて放熱効果を高めることを特徴とする無動力ファンの放熱補助装置である。
【考案の効果】
【００１０】
本考案の無動力ファンの放熱補助装置は、電力で駆動する動力ファンの設置数を減らして気流により稼働する無動力放熱ファンの気流を強くしたり、排気したりするのを助けて放熱効果を高めるという利点がある。
【考案を実施するための最良の形態】
【００１１】
本考案の好適な無動力ファンの放熱補助装置の実施例を図面に沿って説明する。
図１に示すとおり、本考案の実施例の無動力ファンの放熱補助装置は、気体導入カバー２に従来より一般に知られた電力で駆動するモーター等を用いた動力放熱ファン１に固定し、この気体導入カバー２に一もしくは一個以上の気体導入管３の一端を接続し、この気体導入管３の他端に一もしくは一個以上の気流等で駆動する無動力放熱ファン４(図４参照)に接続した構成よりなる。
【００１２】
前記気体導入カバー２は、固定ネジ孔２１及び一もしくは一個以上の気体分流連接管２２、２３、２４、２５を設置し、動力放熱ファン１との隣接面は、ラッパ型口２６(図７参照)を形成する。
【００１３】
図１及び図２に示すとおり、該気体導入カバー２の固定ネジ孔２１と、動力放熱ファン１の固定ネジ孔１１は重なり合い、ネジ釘１２で動力放熱ファン１を螺設固定すると、気体導入カバー２を動力放熱ファン１に固定し、この気体導入カバー２のラッパ型口２６によって動力放熱ファン１の一部気体を気体分流連接管２２、２３、２４、２５へ引き込む。
前記気体導入カバー２は、動力放熱ファン１に固定する方式であるが、上述の固定ネジ孔で固定する方法に制限されず、掛合固定等その他方式によって固定する方法を含む。
【００１４】
図３に示すとおり、本考案の無動力ファンの放熱補助装置の無動力放熱ファン４は、そのフレーム上に無動力放熱ファン４の角度を有する羽根を気流で押圧するための偏向支持板４１を設置し、偏向支持板４１上には連接管もしくは固定部品４２を設置する。
【００１５】
前記偏向支持板４１の連接管もしくは固定部品４２は、本実施例の管状連接管に限定されるのではなく、気体導入管３の一端を定位できればどのようなものでも良く、固定リングもしくは固定条などの固定部品でも良いことは勿論である。
【００１６】
図４に示すとおり、本考案の無動力ファンの放熱補助装置の気体導入管３は、その一端を気体導入カバー２の複数の気体分流連接管２２、２３、２４、２５のうちのどれか一つに嵌合し、他端は無動力放熱ファン４の偏向支持板４１の連接管もしくは固定部品４２上に嵌合もしくは固定する。
【００１７】
上述のとおり、電力で駆動するモーター等を用いた動力放熱ファン１を運転する時、該動力放熱ファン１で生じる気流の一部は気体導入カバー２及び気体導入管３を通して、無動力放熱ファン４を特定の発熱源に向けて吹き付けるか、もしくは環境熱源を機体外に排出する。但し、元の動力放熱ファン１の放熱効果に影響を与えない。
（実施方式）
【００１８】
図５から図７に示すのは、本考案の無動力ファンの放熱補助装置をコンピュータの電源供給装置５上に設置した実施例である。
気体導入カバー２を元々電源供給装置５内に設置してあった動力放熱ファン１に固定し、別に電源供給装置５内に固定した無動力放熱ファン４を筐体箇所にしっかりと貼り付けて固定するか、もしくは隣合わせて固定し、また、気体導入管３の一端を気体導入カバー２のどれか一つの気体分流連接管２２、２３、２４、２５に嵌合し、更に、気体分流連接管２２、２３、２４、２５の他端を無動力放熱ファン４の偏向支持板４１(図３参照)の連接管もしくは固定部品４２(図３参照)上に嵌合するか、もしくは固定する。
【００１９】
図８に示すのは、本考案をコンピュータメイン装置６上に設置した実施例である。気体導入カバー２を元々コンピュータメイン装置６内に設置してある動力放熱ファン１上に設置し、別に一もしくは複数の無動力放熱ファン４をコンピュータメイン装置６に固定した背面もしくは側面の筐体箇所にしっかり貼り付けて固定するかもしくは隣り合わせに固定する。また隣り合わせ等の特定の発熱源例としてハードウエア、ＣＰＵ放熱フィンもしくは電極コイル箇所等に固定してもよい。また、対応する数の気体導入管３の一端には気体導入カバー２の気体分流連接管２２、２３、２４，２５を嵌合する。また、気体分流連接管２２、２３、２４、２５の他端に無動力放熱ファン４の偏向支持板４１の連接管もしくは固定部品４２上に嵌合もしくは固定する。
【００２０】
上述のとおり、本考案の無動力ファンの放熱補助装置は、コンピュータ等の電源供給装置５もしくはコンピュータメイン装置６に既存の動力放熱ファン１で気体を引き込み気体導入管３から一もしくは数個の無動力ファンへ送ることによって動力放熱ファン１の気流放熱機能を下げることなく、動力放熱ファン１の設置を減らして無動力放熱ファン４が気流を強め排気することにより放熱効果を高め、動力放熱ファン1の設置数を減らすことによって、電力を減らして環境保護に役立つ。
【図面の簡単な説明】
【００２１】
【図１】本考案の気体導入カバーと動力放熱ファン組合せの分解立体図である。
【図２】本考案の気体導入カバーと動力放熱ファンの組立立体図である。
【図３】本考案の無動力放熱ファン実施例の立体図である。
【図４】本考案の無動力放熱ファンと動力放熱ファンを連結した実施例の立体図である。
【図５】本考案をコンピュータの電源供給装置に設置した実施例指示図である。
【図６】本考案をコンピュータの電源供給装置に設置した別一実施例の指示図である。
【図７】本考案をコンピュータの電源供給装置に設置した別の一実施例の指示図である。
【図８】本考案をコンピュータメイン装置に設置した実施例指示図である。
【符号の説明】
【００２２】
１        動力放熱ファン
１１        固定ネジ孔
１２        ネジ釘
２        気体導入カバー
２１        固定ネジ孔
２２        気体分流連接管
２３        気体分流連接管
２４        気体分流連接管
２５        気体分流連接管
２６        ラッパ型口
３        気体導入管
４        無動力放熱ファン
４１        偏向支持板
４２        連接管もしくは固定部品
５        コンピュータ電源供給装置
６        コンピュータメイン装置(機体)
【図１】
0003144948.tif 000003
【図２】
0003144948.tif 000004
【図３】
0003144948.tif 000005
【図４】
0003144948.tif 000006
【図５】
0003144948.tif 000007
【図６】
0003144948.tif 000008
【図７】
0003144948.tif 000009
【図８】
0003144948.tif 000010